(57)【要約】      （修正有）【課題】残留物のない燃焼性潤滑剤を含む燃焼力駆動工具に用いる燃料ガスを提供する。【解決手段】潤滑剤として１２０℃乃至２５０℃の範囲の沸点温度をもつエステル基またはポリαオレフィン基に基づく残留物のない燃焼性イソパラフィン油および／または合成油を含み、可燃性ガスとしてプロパン、ｎ−ブタン、イソブタン、プロピレン、プロパジエン、亜酸化窒素、ニトロメタン、ジメチルエーテル、及びメチルアセチレンから選択される一以上のものを含む燃焼力駆動工具、特に固定素子の打ち込み装置に用いる燃料ガス。【選択図】なし【特許請求の範囲】
【請求項１】
潤滑剤を含む可燃性ガスに基づく燃焼力駆動工具、特に、打ち込み固定素子に用いる燃料ガスにおいて、潤滑剤として、１２０℃乃至２５０℃の範囲、特に、１８５℃乃至２００℃の範囲の沸点温度をもつエステル基またはポリαオレフィン基での残留物のない燃焼性イソパラフィン油および／または合成油を含むことを特徴とする前記燃料ガス。
【請求項２】
イソパラフィンとして、少なくとも、９乃至１６の炭素原子、特に、１０乃至１４の炭素原子をもつアルカンの分岐異性体を含むことを特徴とする請求項１に記載の燃料ガス。
【請求項３】
イソパラフィンとして、９乃至１６の炭素原子、特に、１０乃至１４の炭素原子をもつアルカンの分岐異性体からなる混合物を含むことを特徴とする請求項２に記載の燃料ガス。
【請求項４】
イソパラフィンとして、５０重量％以下の分岐Ｃ９−Ｃ１２−アルカンおよび５０重量％以上の分岐Ｃ１０−Ｃ１４−アルカンからなる混合物を含むことを特徴とする請求項３に記載の燃料ガス。
【請求項５】
潤滑剤として使用されるイソパラフィンは、１８５℃乃至２００℃の沸点範囲と、２０℃で１ｋＰａ以下の蒸気圧と、１５℃で７６８ｋｇ／m2の密度と、−５０℃の溶融点と、２６７ｋＪ／kgの蒸発エネルギーと、２．０２８ｋＪ／kg Ｋの比熱容量Ｃｐ２０と、１．７０ｋＪ／kg Ｋの比熱容量Ｃｐ蒸気とを有することを特徴とする請求項１乃至請求項４の内の少なくとも一項に記載の燃料ガス。
【請求項６】
燃料ガスおよび潤滑剤での全重量に関連して０．０１乃至１５重量％、特に、０．５乃至１．５重量％の量の潤滑剤を含むことを特徴とする前記請求項の少なくとも一項に記載の燃料ガス。
【請求項７】
燃料ガスは、少なくとも、プロパン、ｎ−ブタン、イソブタン、プロピレン、プロパジエン、亜酸化窒素、ニトロメタン、ジメチルエーテルおよびメチルアセチレンの代表物質を含有する群から選択されることを特徴とする請求項１乃至請求項６の内のいずれか一項に記載の燃料ガス。
【請求項８】
燃料ガスは、プロパン、ブタン、プロペン、プロパジエンおよび／またはメチルアセチレンからなる混合物を包含することを特徴とする請求項７に記載の燃料ガス。
【請求項９】
燃料ガスは、（Ａ）４０乃至７０重量％のジメチルエーテルと、亜酸化窒素および／またはニトロメタンと、（Ｂ）８乃至２０重量％のプロピレン、メチルアセチレンおよび／またはプロパジエンと、（Ｃ）２０乃至４５重量％のイソブタンおよび／またはｎ−ブタンからなる混合物を包含することを特徴とする請求項７又は8項に記載の燃料ガス。
【請求項１０】
圧力容器に、本発明による量の潤滑剤を入れ、燃料ガスに圧力をかけて圧力容器内に導入するか、液状形態で圧力容器内に入れ、潤滑剤と燃料ガスを、ガスのポンプ循環、または圧力容器の回転または振動により均一に混合することを特徴とする前記請求の範囲の少なくとも一項に記載の燃料ガスの製造方法。
【請求項１１】
燃焼力駆動工具、特に、固定素子の打ち込み装置に用いる可燃性ガスに基づき、燃料ガス内での残留物のない燃焼性潤滑剤として、少なくとも、１２０℃乃至２５０℃の範囲、特に、１８５℃乃至２００℃の範囲の沸点温度をもつエステル基またはポリαオレフィン基でのイソパラフィン油および／または可燃性合成油の使用方法。
【請求項１２】
潤滑剤として、９乃至１６の炭素原子、特に、１０乃至１４の炭素原子をもつアルカンの分岐異性体が使用されることを特徴とする請求項１１に記載の使用方法。
【請求項１３】
潤滑剤として、９乃至１６の炭素原子、特に、１０乃至１４の炭素原子をもつアルカンの分岐異性体からなる混合物が使用されることを特徴とする請求項１２に記載の使用方法。
【請求項１４】
潤滑剤として、５０重量％以下の分岐Ｃ９−Ｃ１２−アルカンおよび５０重量％以上の分岐Ｃ１０−Ｃ１４−アルカンからなる混合物が使用されることを特徴とする請求項１３に記載の使用方法。
【発明の詳細な説明】
【技術分野】
【０００１】
本発明の対象は、燃焼力駆動工具、特に、潤滑剤を含む可燃性ガスに基づき固定素子の打ち込み装置に用いる燃料ガスと、燃料ガス内での残留物のない燃焼性潤滑剤として、エステル基またはポリαオレフィン基に基づき、少なくともイソパラフィン油および／または可燃性合成油の用途である。
【背景技術】
【０００２】
話題にしている種類の燃焼力駆動工具、すなわち、固定素子の打ち込み装置はドイツ国特許公開第４０３２２０２号明細書から周知である。この工具により、例えば、釘、ボルト等のような固定素子を、通常は装填火薬または燃料ガスの燃料の燃焼エネルギーの作用により、対応する構造物を取り付けなければならない、例えば、木、鋼、コンクリート等のような材料中に直接に打ち込むことができる。
【０００３】
この種の燃焼力駆動工具は、たいてい、場合により多数の室に区分できる燃焼室と、燃焼室内で発生される膨張燃焼ガスにより作用され、そのエネルギーを固定素子に伝えるピストンガイド内を運動するピストンとを含む。燃焼室内部にある火薬駆動装薬または空気／燃料ガスの混合物の点火により、ピストンは燃焼室から抜け出し、固定素子に打ち当たり、固定素子を下地材料へ打ち込む。ここで、燃焼ガスの燃焼により得られるエネルギーは、燃焼速度に大きく左右され、また、燃焼速度は空気／燃料ガスの割合により左右される。
【０００４】
米国特許第５，８４２，６２３号明細書から、メチルアセチレンとプロパジエンの混合物もしくはプロパン、ブタン、プロピレンまたはエタンの混合物で駆動されるこの種の燃焼力駆動工具は周知である。
【０００５】
この種の従来の燃焼力駆動工具では、燃料として例えば、メチルアセチレンとプロパジエンの混合物もしくは、燃料としてプロパン、ブタン、プロペンまたはエタンの混合物が使用される。この種の市販の燃焼力駆動工具では、特に、メチルアセチレン、プロパジエン、プロペンおよび／またはブタンからなる混合物が使用され、それらは、ＭＡＰＰの名称でも知られている。そのような混合気は石炭の乾留の際の副産物として生じ、工具の効率を高めるために重要である比較的に高い燃焼速度を与える。
【０００６】
この燃料ガスは、通常、燃料ガス容器内で液化貯蔵される。交換可能な燃料ガス容器は、容器にスナップ結合で取り付けられる計量キャップでカバーされる。それから、燃料ガス容器と計量キャップのシステムは工具に導入される。計量キャップは工具の操作に際して燃焼室内へ所定量流れるガスを注入する課題を有する。このために計量弁が使用される。計量弁は、操作中に潤滑しなければならない多数のシール要素と可動部分とを含む。このため、たいてい、燃料ガスに潤滑剤を加えて混合される。そのような潤滑剤の選択のための最初の前提は、潤滑剤が液化ガス内で溶解し、化学結合しないことである。
【０００７】
ドイツ国特許第１９９５０３４８号明細書の対象は、（Ａ）４０乃至７０重量％のジメチルエーテル、亜酸化窒素および／またはニトロメタンと、（Ｂ）８乃至２０重量％のプロピレン、メチルアセチレン、プロパンおよび／またはプロパジエンと、（Ｃ）２０乃至４５重量％のイソブタンおよび／またはｎ−ブタンとを含む混合物に基づく話題としている種類の燃焼力駆動工具に用いる燃料ガスである。
【０００８】
この潤滑剤は、もちろん、燃焼後に大部分燃焼室内に残留する欠点を有する。さらに、この潤滑剤は、例えば、計量弁や他の機械部品のシール材料の摩耗により工具の操作の際に生じる破片や、必然的な燃焼空気を介して送られる塵と結合する傾向があるので、計量弁、導管および／または燃焼室壁の表面にかさぶたが生じ、これらのかさぶたは、工具の故障のない操作を損なう。そのような燃焼ガス駆動工具では、固定素子の５０００００回の打ち込み作用を寿命の目標とされるので、原則的にこの期間中に予想される操作条件、すなわち、空気温度−１０℃から５０℃、１日当たり１０回から１時間当たり１０００回の固定素子の打ち込み速度で、燃焼室内部では潤滑剤残留物または破片残留物の沈殿をしてはならない。しかしながら、必要な場合には、１０００回の打ち込み作用後、装置の清掃を行うことが許容され、その際、もちろん、必要とあれば、存在する残留物を例えば、布切れや、テレビン油またはラッカーシンナーのような市販の清掃手段を使用して難なく除去することが目標とされる。
【０００９】
この従来の潤滑剤の別の欠点は、シール材料の使用に関して極度の制限が生じることであり、シール材料はポリテトラフルオルエチレンやポリイミデンを基礎とする好ましいシール材料には適さない。これらのシール材料は、一般的に乾燥して塗布されねばならず、通常の液化潤滑剤と調和しない。
【特許文献１】ドイツ国特許公開第４０３２２０２号明細書
【特許文献２】米国特許第５，８４２，６２３号明細書
【特許文献３】ドイツ国特許第１９９５０３４８号明細書
【発明の開示】
【発明が解決しようとする課題】
【００１０】
本発明の基礎となる課題は、最初に述べた種類の燃焼力駆動工具に用いる燃料ガスを提供することであり、この燃料ガスは、そのような工具の通常の使用条件下でも、潤滑すべきシール材料、計量弁および工具の他の機械部分の耐久性のある潤滑を確保し、計量弁、導管、燃焼室の表面上の固定残留物の堆積を回避し、場合により、簡単に除去できる残留物を残す潤滑剤を含む。
【課題を解決するための手段】
【００１１】
この課題は、請求項１に記載の燃料ガスと、請求項１０に記載の燃料ガスの製造方法と、請求項１１に記載の燃料ガスの用途により解決される。従属請求項は、この発明対象の有利な実施例に関するものである。
【発明を実施するための最良の形態】
【００１２】
驚くべきことに、上記の課題は、潤滑剤として１２０℃乃至２５０℃、特に１８５℃乃至２００℃の範囲の沸点温度をもつエステル基またはポリαオレフィン基での残留物のない燃焼性イソパラフィン油および／または合成油を使用することにより解決できることを示した。
【００１３】
したがって、本発明の対象は、潤滑剤として１２０℃乃至２５０℃、特に１８５℃乃至２００℃の範囲の沸点温度をもつエステル基またはポリαオレフィン基での残留物のない燃焼性イソパラフィン油および／または合成油を含むことを特徴とする潤滑剤を含有する可燃性ガスに基づく燃焼力駆動工具、特に、固定素子の打ち込み装置に用いる燃料ガスである。
【００１４】
本発明で潤滑剤として有利に使用されるイソパラフィンは、もっぱら、９乃至１６の炭素原子、特に、１０乃至１４の炭素原子をもつ直鎖状アルカンから製造される合成分岐異性体に関係する。この種のイソパラフィンは、市場では、例えば、EXXON Mobil社またはChevron Phillips Chemical Company社から購入できる。
【００１５】
実施例１
本発明の有利な実施例によると、イソパラフィンとして９乃至１６の炭素原子、もっぱら、１０乃至１４の炭素原子をもつアルカンの分岐異性体からなる混合物、特に、５０重量％以下の分岐Ｃ９−Ｃ１２−アルカンおよび５０重量％以上の分岐Ｃ１０−Ｃ１４−アルカンからなる混合物を使用する。
【００１６】
この種の有利なイソパラフィン混合物は、１８５℃乃至２００℃の沸点範囲と、２０℃で１ｋＰａ以下の蒸気圧と、１５℃で７６８ｋｇ／m2の密度と、−５０℃以下の溶融点と、２６７ｋＪ／kgの蒸発エネルギーと、２．０２８ｋＪ／kg Ｋの比熱容量Ｃｐ２０と、１．７０ｋＪ／kg Ｋの比熱容量Ｃｐ蒸気とを有する。
【００１７】
１２０℃乃至１５０℃、もっぱら、１８５℃乃至２００℃の範囲の沸点温度をもつエステルまたはポリαオレフィンに基づく残留物のない燃焼性合成油で、特に、燃料ガスに用いる潤滑剤としてポリαオレフィンと４０℃で６センチストークスの粘度をもつ添加結合物の調合の形式であり、市場で購入できる潤滑剤B99/30-13も同程度に目標とする使用目的に適する。
実施例２
【００１８】
本発明の有利な実施例によると、燃料ガスは、潤滑剤を含む燃料ガスの前条量に関連して０．０１乃至５０重量％、特に、０．５乃至１．５重量％の量の所定の潤滑剤を含む。
【００１９】
驚くべきことに、本発明により使用される潤滑剤および特に、有利に使用されるイソパラフィンは、その分子化合物の密集分散に基づき、通常使用されるシール材料、例えば、ポリテトラフルオルエチレンやポリイミデンのシール材料にも、話題にしている燃焼力駆動工具の運動部分のために際立つ潤滑特性に良好に調和し、使用の際に、燃料ガスまたは点火燃焼ガスと接触する工具の表面に残らない。その理由は、これらの潤滑剤が、その高い揮発性と燃焼力とに基づき燃料ガスと共に完全で残留物がなく燃焼し、摩耗材料を受け入れず、表面に結合しないからである。
【００２０】
固有の燃料ガスとして、例えば、エタン、プロパン、プロペン、プロパジエン、ｎ−ブタン、イソブタン、ブタン、ジメチルエーテル、メチルアセチレン、亜酸化窒素、ニトロメタンおよび、それらの混合物のような本発明による有利な液化可燃性ガスまたはガス混合物が使用される。この種の有利な混合気は液化天然ガス、メチルアセチレンとプロパジエンとの混合物および／またはジメチルエーテル、プロペン、イソブタンからなる混合物である。本発明の特に有利な実施例によると、可燃性混合気として、２０乃至８０重量％、もっぱら、３０乃至４０重量％、特に、３５重量％ジメチルエーテルと、１乃至１５重量％、もっぱら、１乃至１０重量％、なお有利には、５重量％プロペンと、５乃至７９重量％、もっぱら、２５乃至６９重量％、特に、６０重量％イソブタンからなる混合物が使用される。
【００２１】
実施例３
本発明のさらに有利な実施例によると、燃料ガスは、例えば、（Ａ）４０乃至７０重量％のジメチルエーテルと、亜酸化窒素および／またはニトロメタンと、（Ｂ）８乃至２０重量％のプロピレン、メチルアセチレンおよび／またはプロパジエンと、（Ｃ）２０乃至４５重量％のイソブタンおよび／またはｎ−ブタンとからなる燃料ガス混合物を含む。
【００２２】
本発明によると、必要とされる燃料ガスは、所定の潤滑剤を、燃料ガスを収容する圧力容器内に入れ、混合気を液状形態または凝縮形態で圧力容器内に導入し、ガスのポンプ循環または圧力容器の回転または振動により成分の均一な混合を確保するようにして製造される。
【００２３】
実施例４
本発明の別の対象は、１２０乃至２５０℃の範囲、特に、１８５乃至２００℃の範囲の沸点温度で、燃焼力駆動工具、特に、固定素子の打ち込み装置に用いる上記の種類の可燃性ガスに基づく燃料ガス内の残留物のない燃焼性潤滑剤によるエステル基またはポリαオレフィン基での少なくともイソパラフィン油および／または可燃性合成油の用途に関するものである。
【００２４】
潤滑剤として、９乃至１６の炭素原子、もっぱら、１０乃至１４炭素原子をもつアルカンの分枝異性体、なお有利には、９乃至１６の炭素原子、もっぱら、１０乃至１４炭素原子をもつアルカンのそのような分岐異性体からなる混合物を使用する。
【００２５】
実施例５
特別の有利な実施例によると、潤滑剤として、５０重量％以下の分岐Ｃ９−Ｃ１２−アルカンおよび５０重量％以上の分岐Ｃ１０−Ｃ１４−アルカンからなる混合物を使用する。